(57)【要約】【課題】受光素子の反りの抑止、防止を可能とし、反り易い安価な樹脂パッケージを厳しい結像精度が必要な用途で使用可能とする。【解決手段】レンズ３の瞳１３からの光の入射方向前面側に、受光素子４の反り方向に対して断面係数を高く持った中空角筒形状の補強部材１６をレンズ３からの光束と干渉しない範囲で接着し、受光素子４が反らないように構成する。補強部材１５はレンズ３側及び受光素子４側端部は開口させる。また補強部材１６は、受光素子４から延出するにしたがってレンズの瞳１３からの光束と干渉しない範囲で受光素子４のパッケージの長手方向ではすぼみ、短手方向では広がる形状を有する。これにより、受光素子４の側面からの迷光を遮断する。【選択図】        図６
2004194018.tif 000002
【特許請求の範囲】
【請求項１】
原稿台上の原稿に対し、上記原稿台下部から上記原稿を照明し、反射光を受光素子で受光して上記原稿像を得る原稿読取装置に用いる受光素子補強構造において、上記受光素子を備えるパッケージ表面の周囲に、中空筒状の補強部材を固着してなることを特徴とする受光素子補強構造。
【請求項２】
請求項１の受光素子補強構造において、上記補強部材の中空部形状が、上記パッケージから離れるにしたがって上記パッケージの長手方向ではすぼみ、短手方向では広がる形状であることを特徴とする受光素子補強構造。
【請求項３】
請求項１または２の受光素子補強構造において、上記受光素子の位置を固定するための固定部を外方へ向けて設けたことを特徴とする受光素子補強構造。
【請求項４】
請求項１ないし３のいずれかの受光素子補強構造において、上記固定部を上記パッケージと一体に形成してなることを特徴とする受光素子補強構造。
【請求項５】
請求項１ないし４のいずれかの受光素子補強構造において、上記補強部材の少なくとも内周面の色を艶消し暗色としてなることを特徴とする受光素子補強構造。
【請求項６】
請求項１ないし５のいずれかの受光素子補強構造において、上記補強部材が、樹脂成形品または金属製であることを特徴とする受光素子補強構造。
【請求項７】
請求項１ないし６のいずれかの受光素子補強構造を用いてなることを特徴とする原稿読取装置。
【発明の詳細な説明】
【０００１】
【発明の属する技術分野】
本発明は、複写機、ファクシミリ、イメージスキャナ、あるいはこれらに用いる原稿読取装置、及びこれらに用いる受光素子補強構造に関する。
【０００２】
【従来の技術】
原稿ガラス上の原稿に対し、原稿台下部から原稿を照明し、その反射光を受光素子で受光して原稿像を得る原稿読取装置において用いる受光素子の器であるパッケージは、その機能上、一般に材質がセラミックであり、高価である。そのため最近、これを安価にするために、パッケージ材質を樹脂に置き換える動きがある。
【０００３】
【発明が解決しようとする課題】
ところが、樹脂はセラミックに比べて熱による反りが大きく、受光素子への結像精度を厳しく要求する用途では要求機能を満たせない場合がある。
【０００４】
そこで本発明は、受光素子を組み付けて光学系を形成する上での一つの解決手段を提案するものである。
【０００５】
【課題を解決するための手段】
本発明の請求項１に係る受光素子補強構造は、上記目的を達成するために、原稿台上の原稿に対し、上記原稿台下部から上記原稿を照明し、反射光を受光素子で受光して上記原稿像を得る原稿読取装置に用いる受光素子補強構造において、上記受光素子を備えるパッケージ表面の周囲に、中空筒状の補強部材を固着してなることを特徴とする。
【０００６】
同請求項２に係るものは、上記目的を達成するために、請求項１の受光素子補強構造において、上記補強部材の中空部形状が、上記パッケージから離れるにしたがって上記パッケージの長手方向ではすぼみ、短手方向では広がる形状であることを特徴とする。
【０００７】
同請求項３に係るものは、上記目的を達成するために、請求項１または２の受光素子補強構造において、上記受光素子の位置を固定するための固定部を外方へ向けて設けたことを特徴とする。
【０００８】
同請求項４に係るものは、上記目的を達成するために、請求項１ないし３のいずれかの受光素子補強構造において、上記固定部を上記パッケージと一体に形成してなることを特徴とする。
【０００９】
同請求項５に係るものは、上記目的を達成するために、請求項１ないし４のいずれかの受光素子補強構造において、上記補強部材の少なくとも内周面の色を艶消し暗色としてなることを特徴とする。
【００１０】
同請求項６に係るものは、上記目的を達成するために、請求項１ないし５のいずれかの受光素子補強構造において、上記補強部材が、樹脂成形品または金属製であることを特徴とする。
【００１１】
同請求項７に係るものは、上記目的を達成するために、請求項１ないし６のいずれかの受光素子補強構造を用いてなることを特徴とする。
【００１２】
【発明の実施の形態】
以下本発明の実施の形態を図面を参照して説明する。
図１は、本発明の対象とする原稿読取装置の主要構成を示す概念図である。図中１は原稿を乗せる原稿台を構成する原稿ガラス、２は光源、３はレンズ、４はＣＣＤ等の受光素子、５は第１走行体、６は第２走行体であり、原稿ガラス１上に置いた原稿に対し、原稿台下部から光源２により原稿を照明し、その反射光を受光素子４で受光して原稿の画像を得るようになっている。
【００１３】
図２は、受光素子４のパッケージ構造を示す短手方向の断面図で、（Ａ）はセラミックパッケージ、（Ｂ）は樹脂パッケージの一般的な構成を示す短手方向の断面図である。図中７はカバーガラス、８は受光チップ、９は配線ワイヤ、１０はセラミック、１１は樹脂、１２は金属ベースである。図３は、図２に示したような受光素子の正常状態（Ａ）と反りが発生した状態（Ｂ）を示す長手方向の断面図である。
【００１４】
図４は、レンズ３から受光素子４までの光束の形状変化を示す概念図である。図示のように、光源２から射出し、原稿で反射し、さらに第１走行体５、第２走行体６で反射してレンズ３に入射した光は、レンズ３の瞳１３から受光素子４の結像ライン１４に向かって、その断面が円から線へ変化する。
【００１５】
図５は、本発明に係る受光素子補強構造の第１の実施形態を示す斜視図である。この実施形態では、レンズ３の瞳１３からの光の入射方向前面側に、上述のような受光素子４の反り方向に対して断面係数を高く持った中空角筒形状の補強部材１５をレンズ３からの光束と干渉しない範囲で接着し、受光素子４が反らないように構成してある。もちろん補強部材１５はレンズ３側及び受光素子４側端部は開口している。図中ｘは接着面を示す。
【００１６】
図６は、本発明に係る受光素子補強構造の第２の実施形態を示す斜視図である。この実施形態の補強部材１６は、先の実施形態と同様のものであるが、さらに、受光素子４から延出するにしたがってレンズ３の瞳１３からの光束と干渉しない範囲で受光素子４のパッケージの長手方向ではすぼみ、短手方向では広がる形状とし、受光素子４が反らないようにするとともに、受光素子４の側面からの迷光を遮断するようにしてある。
【００１７】
図７は、本発明に係る受光素子補強構造の第３の実施形態を示す斜視図である。この実施形態の補強部材１７は、受光素子４のパッケージへの接着面ｘ側の長手方向両端部を延設し、延設部１７ａに固定穴１７ｂを設けて、受光素子４の固定部を兼ね得るようにしてある。もちろん固定部は、延設部ａの一面を接着固定するものでも良いし、図示の例のように固定穴１７ｂを用いたねじ止めとしても良い。受光素子４を実装した基板を固定する間接的な固定では、熱等による基板の反りで受光素子４の位置が変化してしまうことが知られているが、補強部材１７を用いた固定とすることでこれを抑制できる。
【００１８】
なお上記してきた補強部材１５、１６、１７は樹脂製または金属製のどちらでも採用できるが、樹脂成形品とする場合、ガラス繊維等で強化した樹脂や熱硬化性樹脂を用いると良い。図示の実施形態のものは、いずれもアンダーカット無しに単純な型で成形できる。また補強部材１５、１６、１７は、受光素子の製造工程内で図２のパッケージを構成する樹脂１１を延設して一体に形成してもよい。
【００１９】
また補強部材を金属製とする場合は焼結や鋳物等の成形手段で形成することになるが、金属素材には、放熱性に優れたアルミ系、銅系、または安価な鉄等、要求レベルとコストのバランスにより適当なものを選択すればよい。
【００２０】
さらに補強部材１５、１６、１７の少なくとも中空内部を、艶消しの暗い色、例えば黒とするとよい。樹脂製とする場合は黒色の材料を使えばよく、表面にシボ模様を施せば艶消しも実現できる。金属製でも表面処理や塗装で黒色や艶消しとすることができる。
【００２１】
【発明の効果】
本発明に係る受光素子補強構造は、以上説明してきたように、受光素子の反りを抑止あるいは防止することができ、反り易い安価な樹脂パッケージの受光素子を、受光素子への結像精度が厳しくて使えなかった用途でも使用することができる。
【００２２】
請求項２に係る受光素子補強構造は、以上説明してきたように、受光素子の反りの抑制あるいは防止をより良く行え、上記共通の効果に加え、受光素子の周囲から来る迷光の遮蔽性を高め、外乱光が無いかごく少ない忠実な結像を可能とする。
【００２３】
請求項３に係る受光素子補強構造は、以上説明してきたように受光素子の直接的な固定を可能としたため、上記共通の効果に加え、受光素子の位置変化を抑えられる。
【００２４】
請求項４に係る受光素子補強構造は、上記共通の効果に加え、別部品を接着するよりも安価に製作できる。
【００２５】
請求項５に係る受光素子補強構造は、補強部材の少なくとも内周面を艶消し暗色とすることにより、上記共通の効果に加え、補強部材内側での迷光反射を抑制でき、受光チップに対する外乱光を減らして忠実な結像を可能とする。
【００２６】
請求項６に係る受光素子補強構造は、補強部材を樹脂製として安価に製作可能とし、あるいは金属製として補強剛性、放熱性を高め得る。
【００２７】
本発明に係る原稿読取装置は、以上説明してきた受光素子補強構造を用いることで上記と同等の効果を奏し得る。
【図面の簡単な説明】
【図１】本発明の対象とする原稿読取装置の主要構成を示す概念図である。
【図２】受光素子のパッケージ構造を示す短手方向の断面図で、（Ａ）はセラミックパッケージ、（Ｂ）は樹脂パッケージの一般的な構成を示す短手方向の断面図であ
る。
【図３】図２に示したような受光素子の正常状態（Ａ）と反りが発生した状態（Ｂ）を示す長手方向の断面図である。
【図４】レンズから受光素子までの光束の形状変化を示す概念図である。
【図５】本発明に係る受光素子補強構造の第１の実施形態を示す斜視図である。
【図６】本発明に係る受光素子補強構造の第２の実施形態を示す斜視図である。
【図７】本発明に係る受光素子補強構造の第３の実施形態を示す斜視図である。
【符号の説明】
１  原稿ガラス
２  光源
３  レンズ
４  受光素子
５  第１走行体
６  第２走行体
７  カバーガラス
８  受光チップ
９  配線ワイヤ
１０  セラミック
１１  樹脂
１２  金属ベース
１３  レンズの瞳
１４  受光素子の結像ライン
１５、１６、１７  補強部材
１７ａ  延設部
１７ｂ  固定穴
ｘ  接着面
【図１】
2004194018.tif 000003
【図２】
2004194018.tif 000004
【図３】
2004194018.tif 000005
【図４】
2004194018.tif 000006
【図５】
2004194018.tif 000007
【図６】
2004194018.tif 000008
【図７】
2004194018.tif 000009